(57)【要約】【課題】  二次電池を用いた補聴器を大きくすることなく、非接触で充電することができる充電式補聴器とその充電装置を提供する。【解決手段】  充電式補聴器１は、二次電池９と、二次電池９を充電するための二次コイルと磁波信号に変換された音信号を受信する誘導コイルを兼用するコイル６と、コイル６の二次コイルモードと誘導コイルモードを切り替える磁気スイッチ８と、磁気スイッチ８によりコイル６及び二次電池９に接続される充電回路７を備える。充電式補聴器１を充電する充電装置２には、二次電池９を非接触で充電させるための一次コイル２５と、磁気スイッチ８を作動させるための磁石２６を設けた。【選択図】        図１
2009021910.tif 000002
【特許請求の範囲】
【請求項１】
二次電池と、この二次電池を充電するための二次コイルと磁波信号に変換された音信号を受信する誘導コイルを兼用するコイルと、このコイルの二次コイルモードと誘導コイルモードを切り替える切替手段と、この切替手段を介して前記コイル及び前記二次電池に接続される充電回路を備えることを特徴とする充電式補聴器。
【請求項２】
前記切替手段は、磁気スイッチで構成される請求項１記載の充電式補聴器。
【請求項３】
前記切替手段は、所定の周波数の音または所定のパターンの音により作動する請求項１記載の充電式補聴器。
【請求項４】
前記切替手段は、所定形状のキーを挿入したら作動する請求項１記載の充電式補聴器。
【請求項５】
請求項１乃至４のいずれかの請求項に記載の充電式補聴器において、発光ダイオードを設け、二次電池の充電が完了したら前記発光ダイオードを点灯させることを特徴とする充電式補聴器。
【請求項６】
請求項１乃至４のいずれかの請求項に記載の充電式補聴器において、二次電池の充電が完了したら所定の周波数の音または所定のパターンの音をイヤホンから出力させることを特徴とする充電式補聴器。
【請求項７】
請求項１乃至６のいずれかの請求項に記載の充電式補聴器を充電する充電装置であって、二次電池を非接触で充電させるための一次コイルを設けたことを特徴とする充電装置。
【請求項８】
磁気スイッチで構成された切替手段を作動させる磁石を設けた請求項７記載の充電装置。
【請求項９】
所定の周波数の音又は所定のパターンの音により作動する切替手段を作動させるための音を出力する音出力手段を設けた請求項７記載の充電装置。
【請求項１０】
所定形状のキーを挿入したら作動する切替手段を作動させるためのキーを設けた請求項７記載の充電装置。
【請求項１１】
請求項７乃至１０のいずれかの請求項に記載の充電装置において、発光ダイオードとマイクロホンを設け、所定の周波数の音または所定のパターンの音を前記マイクロホンで感知したら充電を停止する充電停止手段と、この充電停止手段が充電を停止させたら前記発光ダイオードを点灯または点滅させる充電停止報知手段を備えたことを特徴とする充電装置。
【請求項１２】
請求項７乃至１１のいずれかの請求項に記載の充電装置において、二次電池を充電するために充電式補聴器をセットする充電セット部が、乾燥ケースまたは乾燥装置を兼ねていることを特徴とする充電装置。
【発明の詳細な説明】
【技術分野】
【０００１】
本発明は、二次電池を備えた充電式補聴器と、この充電式補聴器を充電するための充電装置に関する。
【背景技術】
【０００２】
従来、接触または非接触で充電される二次電池を装着した補聴器が知られている（例えば、特許文献１参照）。また、充電池の中に二次コイルを設けた技術が知られている（例えば、特許文献２参照）。更に、補聴器には電話の受話器からもれる磁波やループコイルに流れる音声電流による磁界からの誘導を受けて起電力を発生する誘導コイルを備えた補聴器が知られている（例えば、特許文献３参照）。
【０００３】
【特許文献１】特開２００６−１７４３３６号公報
【特許文献２】特開２００５−１１７７４８号公報
【特許文献３】特開平０９−０１８９９８号公報
【発明の開示】
【発明が解決しようとする課題】
【０００４】
しかし、二次電池を非接触で充電するには、充電用の二次コイルが必要になるため、誘導コイルを備えた補聴器に二次電池を適用すると、補聴器が大きくなってしまうという問題がある。また、充電池の中に二次コイルを設けると、電池自体が大きくなってしまうため、結局補聴器も大きくなってしまうという問題がある。
【０００５】
本発明は、従来の技術が有するこのような問題点に鑑みてなされたものであり、その目的とするところは、二次電池を用いた補聴器を大きくすることなく、非接触で充電することができる充電式補聴器とその充電装置を提供しようとするものである。
【課題を解決するための手段】
【０００６】
上記課題を解決すべく請求項１に係る発明は、二次電池と、この二次電池を充電するための二次コイルと磁波信号に変換された音信号を受信する誘導コイルを兼用するコイルと、このコイルの二次コイルモードと誘導コイルモードを切り替える切替手段と、この切替手段を介して前記コイル及び前記二次電池に接続される充電回路を備えるものである。
【０００７】
請求項２に係る発明は、請求項１記載の充電式補聴器において、前記切替手段を、磁気スイッチで構成した。
【０００８】
請求項３に係る発明は、請求項１記載の充電式補聴器において、前記切替手段が、所定の周波数の音または所定のパターンの音により作動するようにした。
【０００９】
請求項４に係る発明は、請求項１記載の充電式補聴器において、前記切替手段が、所定形状のキーを挿入したら作動するようにした。
【００１０】
請求項５に係る発明は、請求項１乃至４のいずれかの請求項に記載の充電式補聴器において、発光ダイオードを設け、二次電池の充電が完了したら前記発光ダイオードを点灯させることとした。
【００１１】
請求項６に係る発明は、請求項１乃至４のいずれかの請求項に記載の充電式補聴器において、二次電池の充電が完了したら所定の周波数の音または所定のパターンの音をイヤホンから出力させることとした。
【００１２】
請求項７に係る発明は、請求項１乃至６のいずれかの請求項に記載の充電式補聴器を充電する充電装置であって、二次電池を非接触で充電させるための一次コイルを設けたものである。
【００１３】
請求項８に係る発明は、請求項７記載の充電装置において、磁気スイッチで構成された切替手段を作動させる磁石を設けた。
【００１４】
請求項９に係る発明は、請求項７記載の充電装置において、所定の周波数の音又は所定のパターンの音により作動する切替手段を作動させるための音を出力する音出力手段を設けた。
【００１５】
請求項１０に係る発明は、請求項７記載の充電装置において、所定形状のキーを挿入したら作動する切替手段を作動させるためのキーを設けた。
【００１６】
請求項１１に係る発明は、請求項７乃至１０のいずれかの請求項に記載の充電装置において、発光ダイオードとマイクロホンを設け、所定の周波数の音または所定のパターンの音を前記マイクロホンで感知したら充電を停止する充電停止手段と、この充電停止手段が充電を停止させたら前記発光ダイオードを点灯または点滅させる充電停止報知手段を備えた。
【００１７】
請求項１２に係る発明は、請求項７乃至１１のいずれかの請求項に記載の充電装置において、二次電池を充電するために充電式補聴器をセットする充電セット部が、乾燥ケースまたは乾燥装置を兼ねているものである。
【発明の効果】
【００１８】
請求項１に係る発明によれば、補聴器を大きくすることなく、非接触で二次電池を充電することができる。
【００１９】
請求項２に係る発明によれば、磁気スイッチで自動的に誘導コイルと二次コイルの切り替えを行うので、充電装置に充電式補聴器をセットするだけで二次電池を充電することができる。
【００２０】
請求項３に係る発明によれば、所定の周波数または所定のパターンの音で、自動的に誘導コイルと二次コイルの切り替えを行うので、充電装置に充電式補聴器をセットするだけで二次電池を充電することができる。
【００２１】
請求項４に係る発明によれば、所定形状のキーを挿入するだけで、自動的に誘導コイルと二次コイルの切り替えを行うので、充電装置に充電式補聴器をセットするだけで二次電池を充電することができる。
【００２２】
請求項５に係る発明によれば、光で充電完了を知らせるので、難聴者でも充電完了を認識し易い。
【００２３】
請求項６に係る発明によれば、イヤホンから所定の周波数の音または所定のパターンの音を出力させるので、構成が容易である。
【００２４】
請求項７に係る発明によれば、補聴器を大きくすることなく、非接触で二次電池を充電することができる。
【００２５】
請求項８に係る発明によれば、磁気スイッチで自動的に誘導コイルと二次コイルの切り替えを行うので、充電装置に充電式補聴器をセットするだけで二次電池を充電することができる。
【００２６】
請求項９に係る発明によれば、所定の周波数または所定のパターンの音で、自動的に誘導コイルと二次コイルの切り替えを行うので、充電装置に充電式補聴器をセットするだけで二次電池を充電することができる。
【００２７】
請求項１０に係る発明によれば、所定形状のキーを挿入するだけで、自動的に誘導コイルと二次コイルの切り替えを行うので、充電装置に充電式補聴器をセットするだけで二次電池を充電することができる。
【００２８】
請求項１１に係る発明によれば、非接触充電であっても、二次側に新たな部品を搭載することなく過充電を防ぐことができる。
【００２９】
請求項１２に係る発明によれば、充電しながら補聴器を乾燥させることができるので、装用者にとって使い勝手がよい。
【発明を実施するための最良の形態】
【００３０】
以下に本発明の実施の形態を添付図面に基づいて説明する。ここで、図１は本発明の第１実施の形態のブロック構成図、図２は第１実施の形態における充電式補聴器のレイアウト図、図３は第２実施の形態のブロック構成図、図４は第２実施の形態における充電式補聴器のレイアウト図、図５は第３実施の形態のブロック構成図、図６は第３実施の形態における充電式補聴器のレイアウト図、図７は充電装置の概要説明図である。
【００３１】
本発明の第１実施の形態は、図１と図２に示すように、充電式補聴器１と、この充電式補聴器１を充電する充電装置２からなる。充電式補聴器１は、マイクロホン３、ＤＳＰ（Digital Signal Processor）４、イヤホン５、誘導コイルと充電用二次コイルを兼ねるコイル６、充電回路７、磁気スイッチ８、二次電池９、操作部１０、発光ダイオード（ＬＥＤ）１１を備えている。充電式補聴器１には、耳あな形でも耳かけ形でも適用することができる。
【００３２】
ＤＳＰ４は、補聴処理部１２、設定記憶部１３、設定切替部１４、スイッチ切替部１５、電圧監視部１６、コイル切替スイッチ１７、充電回路切替スイッチ１８を構成している。コイル切替スイッチ１７と充電回路切替スイッチ１８は、ＤＳＰ４で構成せず、別の回路で構成することもできる。
【００３３】
通常使用モード（誘導コイルモード）では、コイル切替スイッチ１７は、補聴処理部１２とコイル６を接続するように働く。マイクロホン３から入力される信号とコイル６から入力される信号について、どちらの信号を使うかまたはミキシングして使うかは、使用者の操作部１０による操作により設定切替部１４が補聴処理部１２を制御して切り替える。また、充電回路切替スイッチ１８は開状態となる。二次電池９の電力はＤＳＰ４へ供給される。
【００３４】
充電モード（二次コイルモード）では、コイル切替スイッチ１７は、コイル６と充電回路７を接続するように働く。また、充電回路切替スイッチ１８は二次電池９と充電回路７を接続するように働く。その際も、二次電池９からＤＳＰ４へ電力は供給され、ＤＳＰ４は稼動状態である。
【００３５】
また、充電装置２は、制御部２０、マイクロホン２１、操作部２２、発光ダイオード（ＬＥＤ）２３、充電回路２４、一次コイル２５、磁石２６、電源部（不図示）を備えている。更に、充電装置２には、充電に際して充電式補聴器１をセットする充電セット部（不図示）が形成されている。
【００３６】
以上のように構成された本発明の第１実施の形態の動作について説明する。先ず、充電装置２の充電セット部に充電式補聴器１をセットする。充電式補聴器１を充電セット部に置くだけでよい。すると、充電装置２に設けた磁石２６に、充電式補聴器１に設けた磁気スイッチ８が反応して、充電式補聴器１が通常使用モードから充電モードに切り替わる。
【００３７】
充電モードでは、充電回路切替スイッチ１８は二次電池９と充電回路７を接続し、コイル切替スイッチ１７は充電回路７とコイル６を接続する。充電モードでも二次電池９からＤＳＰ４に電力は供給される。充電モードでは、コイル６が充電用二次コイルとして働く。そして、充電装置２の操作部２２で充電開始の操作がなされると、電源部（不図示）から供給される電流が一次コイル２５に流れ、充電式補聴器１のコイル６と充電回路７を介して二次電池９への充電が開始される。
【００３８】
また、充電式補聴器１が通常使用モードから充電モードに切り替わったら、スイッチ切替部１５から補聴処理部１２に充電モードへ切り替わったことを知らせる信号を送り、補聴処理部１２が所定の周波数の音または所定のパターンの音をイヤホン５から出力させることもできる。イヤホン５から出力する音は超音波でもよい。そして、充電装置２のマイクロホン２１がイヤホン５からの音を受け、充電式補聴器１が充電モードになったことを認識したら、操作部２２で充電開始の操作をすることなく、自動的に充電を開始させることもできる。
【００３９】
電圧監視部１６では、二次電池９の電圧を監視する。二次電池９が十分に充電されたら、電圧監視部１６からスイッチ切替部１５に充電完了信号を出力し、充電モードから通常使用モードへ切り替える。このように、二次電池９が十分充電されたことをＤＳＰ４が判断して、充電モードから通常使用モードへと切り替えることにより、二次電池９の過充電による発熱などを防止することができる。
【００４０】
また、電圧監視部１６から補聴処理部１２に充電完了信号を出力し、イヤホン５から所定周波数の音または所定パターンの音を出力することもできる。イヤホン５が出力する音は超音波でもよい。その後、自動的に充電式補聴器１の電源をＯＦＦ状態にすることもできる。また、充電式補聴器１に設けたＬＥＤ１１を点灯させて、二次電池９の充電が完了したことを知らせることもできる。
【００４１】
そして、充電装置２に設けたマイクロホン２１が、イヤホン５が出力する音を受けたら、充電装置２が充電動作を終了し、ＬＥＤ２３を点灯させて、二次電池９の充電が完了したことを報知する。
【００４２】
次に、本発明の第２実施の形態は、図３と図４に示すように、充電式補聴器３１と、この充電式補聴器３１を充電する充電装置３２からなる。充電式補聴器３１は、マイクロホン３、ＤＳＰ（Digital Signal Processor）４、イヤホン５、誘導コイルと充電用二次コイルを兼ねるコイル６、充電回路７、二次電池９、操作部１０、発光ダイオード（ＬＥＤ）１１を備えている。充電式補聴器３１には、耳あな形でも耳かけ形でも適用することができる。
【００４３】
ＤＳＰ４は、補聴処理部１２、設定記憶部１３、設定切替部１４、スイッチ切替部１５、電圧監視部１６、コイル切替スイッチ１７、充電回路切替スイッチ１８を構成している。コイル切替スイッチ１７と充電回路切替スイッチ１８は、ＤＳＰ４で構成せず、別の回路で構成することもできる。
【００４４】
通常使用モード（誘導コイルモード）では、コイル切替スイッチ１７は、補聴処理部１２とコイル６を接続するように働く。マイクロホン３から入力される信号とコイル６から入力される信号について、どちらの信号を使うかまたはミキシングして使うかは、使用者の操作部１０による操作により設定切替部１４が補聴処理部１２を制御して切り替える。また、充電回路切替スイッチ１８は開状態となる。二次電池９の電力はＤＳＰ４へ供給される。
【００４５】
充電モード（二次コイルモード）では、コイル切替スイッチ１７は、コイル６と充電回路７を接続するように働く。また、充電回路切替スイッチ１８は二次電池９と充電回路７を接続するように働く。その際も、二次電池９からＤＳＰ４へ電力は供給され、ＤＳＰ４は稼動状態である。
【００４６】
また、充電装置３２は、制御部２０、マイクロホン２１、操作部２２、発光ダイオード（ＬＥＤ）２３、充電回路２４、一次コイル２５、スピーカ２７、電源部（不図示）を備えている。更に、充電装置３２には、充電に際して充電式補聴器３１をセットする充電セット部（不図示）が形成されている。
【００４７】
以上のように構成された本発明の第２実施の形態の動作について説明する。先ず、充電装置３２の充電セット部に充電式補聴器３１をセットする。充電式補聴器３１を充電セット部に置くだけでよい。充電装置３２に設けた操作部２２により充電準備の操作をすると、スピーカ２７から所定周波数の音または所定パターンの音が出る。スピーカ２７から出力する音は超音波でもよい。充電式補聴器３１がマイクロホン３でスピーカ２７から出力された音を受けると、補聴処理部１２で認識し、充電式補聴器３１が通常使用モードから充電モードに切り替わる。
【００４８】
充電モードでは、充電回路切替スイッチ１８は二次電池９と充電回路７を接続し、コイル切替スイッチ１７は充電回路７とコイル６を接続する。充電モードでも二次電池９からＤＳＰ４に電力は供給される。充電モードでは、コイル６が充電用二次コイルとして働く。そして、充電装置３２の操作部２２で充電開始の操作がなされると、電源部（不図示）から供給される電流が一次コイル２５に流れ、充電式補聴器３１のコイル６と充電回路７を介して二次電池９への充電が開始される。
【００４９】
また、充電式補聴器３１が通常使用モードから充電モードに切り替わったら、スイッチ切替部１５から補聴処理部１２に充電モードへ切り替わったことを知らせる信号を送り、補聴処理部１２が所定の周波数の音または所定のパターンの音をイヤホン５から出力させることもできる。イヤホン５から出力する音は超音波でもよい。そして、充電装置３２のマイクロホン２１がイヤホン５からの音を受け、充電式補聴器３１が充電モードになったことを認識したら、操作部２２で充電開始の操作をすることなく、自動的に充電を開始させることもできる。
【００５０】
電圧監視部１６では、二次電池９の電圧を監視する。二次電池９が十分に充電されたら、電圧監視部１６からスイッチ切替部１５に充電完了信号を出力し、充電モードから通常使用モードへ切り替える。このように、二次電池９が十分充電されたことをＤＳＰ４が判断して、充電モードから通常使用モードへと切り替えることにより、二次電池９の過充電による発熱などを防止することができる。
【００５１】
また、電圧監視部１６から補聴処理部１２に充電完了信号を出力し、イヤホン５から所定周波数の音または所定パターンの音を出力することもできる。イヤホン５が出力する音は超音波でもよい。その後、自動的に充電式補聴器３１の電源をＯＦＦ状態にすることもできる。また、充電式補聴器３１に設けたＬＥＤ１１を点灯させて、二次電池９の充電が完了したことを知らせることもできる。
【００５２】
そして、充電装置３２に設けたマイクロホン２１が、イヤホン５が出力する音を受けたら、充電装置３２が充電動作を終了し、ＬＥＤ２３を点灯させて、二次電池９の充電が完了したことを報知する。
【００５３】
次に、本発明の第３実施の形態は、図５と図６に示すように、充電式補聴器４１と、この充電式補聴器４１を充電する充電装置４２からなる。充電式補聴器４１は、マイクロホン３、ＤＳＰ（Digital Signal Processor）４、イヤホン５、誘導コイルと充電用二次コイルを兼ねるコイル６、充電回路７、二次電池９、操作部１０、発光ダイオード（ＬＥＤ）１１、押しボタンスイッチ１９を備えている。充電式補聴器４１のケース４３には、所定の形状のキーだけを挿入することができるキー挿入口４４が形成され、その奥に押しボタンスイッチ１９が配置されている。充電式補聴器４１には、耳あな形でも耳かけ形でも適用することができる。
【００５４】
ＤＳＰ４は、補聴処理部１２、設定記憶部１３、設定切替部１４、スイッチ切替部１５、電圧監視部１６、コイル切替スイッチ１７、充電回路切替スイッチ１８を構成している。コイル切替スイッチ１７と充電回路切替スイッチ１８は、ＤＳＰ４で構成せず、別の回路で構成することもできる。
【００５５】
通常使用モード（誘導コイルモード）では、コイル切替スイッチ１７は、補聴処理部１２とコイル６を接続するように働く。マイクロホン３から入力される信号とコイル６から入力される信号について、どちらの信号を使うかまたはミキシングして使うかは、使用者の操作部１０による操作により設定切替部１４が補聴処理部１２を制御して切り替える。また、充電回路切替スイッチ１８は開状態となる。二次電池９の電力はＤＳＰ４へ供給される。
【００５６】
充電モード（二次コイルモード）では、コイル切替スイッチ１７は、コイル６と充電回路７を接続するように働く。また、充電回路切替スイッチ１８は二次電池９と充電回路７を接続するように働く。その際も、二次電池９からＤＳＰ４へ電力は供給され、ＤＳＰ４は稼動状態である。
【００５７】
また、充電装置４２は、制御部２０、マイクロホン２１、操作部２２、発光ダイオード（ＬＥＤ）２３、充電回路２４、一次コイル２５、キー２９、電源部（不図示）を備えている。更に、充電装置４２には、充電に際して充電式補聴器４１をセットする充電セット部（不図示）が形成されている。キー２９は充電セット部に立設しており、その形状は円柱でも多角柱でもよいし、断面が星形でも矢印型でも前方後円型の柱でもよく、特に制約はない。
【００５８】
以上のように構成された本発明の第３実施の形態の動作について説明する。先ず、充電装置４２の充電セット部に充電式補聴器４１をセットする。ここで、充電式補聴器４１をセットするとは、充電セット部に立設したキー２９を充電式補聴器４１のキー挿入口４４に挿入する作業をいう。キー２９がキー挿入口４４に挿入され、押しボタンスイッチ１９が押されると、充電式補聴器４１が通常使用モードから充電モードに切り替わる。
【００５９】
充電モードでは、充電回路切替スイッチ１８は二次電池９と充電回路７を接続し、コイル切替スイッチ１７は充電回路７とコイル６を接続する。充電モードでも二次電池９からＤＳＰ４に電力は供給される。充電モードでは、コイル６が充電用二次コイルとして働く。そして、充電装置４２の操作部２２で充電開始の操作がなされると、電源部（不図示）から供給される電流が一次コイル２５に流れ、充電式補聴器４１のコイル６と充電回路７を介して二次電池９への充電が開始される。
【００６０】
また、充電式補聴器４１が通常使用モードから充電モードに切り替わったら、スイッチ切替部１５から補聴処理部１２に充電モードへ切り替わったことを知らせる信号を送り、補聴処理部１２が所定の周波数の音または所定のパターンの音をイヤホン５から出力させることもできる。イヤホン５から出力する音は超音波でもよい。そして、充電装置４２のマイクロホン２１がイヤホン５からの音を受け、充電式補聴器４１が充電モードになったことを認識したら、操作部２２で充電開始の操作をすることなく、自動的に充電を開始させることもできる。
【００６１】
電圧監視部１６では、二次電池９の電圧を監視する。二次電池９が十分に充電されたら、電圧監視部１６からスイッチ切替部１５に充電完了信号を出力し、充電モードから通常使用モードへ切り替える。このように、二次電池９が十分充電されたことをＤＳＰ４が判断して、充電モードから通常使用モードへと切り替えることにより、二次電池９の過充電による発熱などを防止することができる。
【００６２】
また、電圧監視部１６から補聴処理部１２に充電完了信号を出力し、イヤホン５から所定周波数の音または所定パターンの音を出力することもできる。イヤホン５が出力する音は超音波でもよい。その後、自動的に充電式補聴器４１の電源をＯＦＦ状態にすることもできる。また、充電式補聴器４１に設けたＬＥＤ１１を点灯させて、二次電池９の充電が完了したことを知らせることもできる。
【００６３】
そして、充電装置４２に設けたマイクロホン２１が、イヤホン５が出力する音を受けたら、充電装置４２が充電動作を終了し、ＬＥＤ２３を点灯させて、二次電池９の充電が完了したことを報知する。
【００６４】
また、図７（ａ）に示すように、充電式補聴器１，３１，４１をセットする充電装置２，３２，４２の充電セット部を乾燥ケース４５にすることができる。４６は乾燥剤である。更に、図７（ｂ）に示すように、充電セット部を乾燥室４７とし、充電装置２，３２，４２とドライエア送風装置４８を一体化することで、充電装置２，３２，４２が乾燥装置４９も兼ねることができる。このように、充電しながら充電式補聴器１，３１，４１を乾燥させることができるので、装用者にとって使い勝手がよい。
【産業上の利用可能性】
【００６５】
本発明によれば、充電装置に充電式補聴器をセットするだけで二次電池を非接触で充電することができ、装用者は電池交換という煩雑な作業から解放されるので、使い勝手がよくなり、需要拡大が期待される。
【図面の簡単な説明】
【００６６】
【図１】第１実施の形態のブロック構成図
【図２】第１実施の形態における充電式補聴器のレイアウト図
【図３】第２実施の形態のブロック構成図
【図４】第２実施の形態における充電式補聴器のレイアウト図
【図５】第３実施の形態のブロック構成図
【図６】第３実施の形態における充電式補聴器のレイアウト図
【図７】充電装置の概要説明図で、（ａ）は充電セット部を乾燥ケースにした場合、（ｂ）は充電セット部を乾燥室とした場合
【符号の説明】
【００６７】
１，３１，４１…充電式補聴器、２，３２，４２…充電装置、３，２１…マイクロホン、４…ＤＳＰ、５…イヤホン、６…コイル、７，２４…充電回路、８…磁気スイッチ、９…二次電池、１０，２２…操作部、１１，２３…発光ダイオード（ＬＥＤ）、１２…補聴処理部、１３…設定記憶部、１４…設定切替部、１５…スイッチ切替部、１６…電圧監視部、１７…コイル切替スイッチ、１８…充電回路切替スイッチ、１９…押しボタンスイッチ、２０…制御部、２５…一次コイル、２６…磁石、２７…スピーカ、２９…キー、４３…ケース、４４…キー挿入口、４５…乾燥ケース、４６…乾燥剤、４７…乾燥室、４８…ドライエア送風装置、４９…乾燥装置。
【図１】
2009021910.tif 000003
【図２】
2009021910.tif 000004
【図３】
2009021910.tif 000005
【図４】
2009021910.tif 000006
【図５】
2009021910.tif 000007
【図６】
2009021910.tif 000008
【図７】
2009021910.tif 000009